(57)【特許請求の範囲】
【請求項１】
薄いシート材を六角形断面の筒状に形成したものを多数一列に接続したシングルハニカム構造体を２セット平行に一体接着した構造であって、それ自体が伸縮可能なのダブルハニカム構造体１１からなる仕切り体７と、該仕切り体全体を下から支えて形状を保持させる撓み防止部材１３からなる支持部９とを有し、前記撓み防止材１１の端部に前記仕切り体７の両端を固定することによりパネルの単体を構成し、該パネルの単体を多数配置し、前記支持部９を取付け手段によって建物内部所定箇所に取付けて建物内部を上下に仕切ることを特徴とする対流遮断パネル。
【請求項２】
薄いシート材を六角形断面の筒状に形成したものを多数一列に接続したシングルハニカム構造体からなる仕切り体７と、該仕切り体全体を下から支えて形状を保持させる撓み防止部材１３からなる支持部９とを有し、前記撓み防止材１１の端部に前記仕切り体７の両端を固定することによりパネルの単体を構成し、該パネルの単体を多数配置し、前記支持部９を取付け手段によって建物内部所定箇所に取付けて建物内部を上下に仕切ることを特徴とする対流遮断パネル。
【請求項３】
撓み防止部材は、アルミニウム製の角パイプである請求項１又は２に記載の対流遮断パネル。
【発明の詳細な説明】
【０００１】
【発明の属する技術分野】
本発明は、建物外部からの熱的影響で起きる対流による作用を軽減し得るパネルに関する。
【０００２】
【従来の技術と発明が解決しようとする課題】
元来、建築構造物は、屋根や外壁などにより苛酷な外部環境を遮断し、快適な内部空間を維持することを目的とするが、建屋と内外の環境は、一個の独立した熱システムとして熱の移動が自由に行われている。熱の移動と伝播は主として輻射と伝導により行われ、液体と空気のような気体では主として対流により熱が運ばれる。個々の箇所における熱の出入、蓄熱は熱勘定でバランスが保たれ、熱は温度が高い方から低い方に移動する。その移動熱量は温度差に比例するという熱力学の大原則に支配されている。
【０００３】
その結果、夏期には、主として太陽の輻射と高い外気温の伝導により建屋の屋根や側壁などの外溝の温度が高まり、伝導により温度の高い外面から低い内面に移り、更に内面に接する屋内の空気に伝導され、加熱された空気は軽いので上昇気流になり対流を生ずる。もし、対流という現象がなければ、外溝から内部空間に向かう熱入力は外溝とそれに接する空気層の温度勾配を少なくし、外からの入熱にブレーキをかけ、外部環境の影響を受けることは少なくなるが、残念ながら対流現象があるために、建屋の外溝に接して温められた空気は逃げ去って、温度勾配を保ち続けるので、熱ポンプのように熱を汲み込み続け、屋内温度を上昇させる。
【０００４】
他方、寒冷期には、一般的に外部環境温度が低く内部の暖気は連続的に屋外に放散される。この熱移動の継続にも屋内空間に発生する対流が暖気を運び、建屋の内側の温度と空気の温度差が現象することを妨げていることに起因している。以上の熱移動の三態様に対処する策はそれぞれ異なり、経済的判断を含めて難易度も様々である。冷暖房設備が普及する前は、事務所や居住空間を除いて、屋内空間の温度調節についての関心は薄く、建築構造面でも十分配慮されているとは言い難い。今、改めて空調設備を導入するにしても、熱移動システムを改善しない限り、設備規模が大きくなり、冷暖房エネルギの損失も大きいので、何時でも無条件に採用できるとは限らず、対策は何れも概ねおおげさになり、長期化、困難さ、コスト高は避けられない。
【０００５】
近年、空調に対する要望は大きく、空調に消費される電力消費は年々増加の一途を辿っており、消費エネルギの増大は原子力や化石燃料への依存を増大せしめている。その何れも無制限に増やし続けることはできない。特に、炭酸ガスの排出は地球の温暖化をもたらすので、国際的約束として炭酸ガスの排出を６％減らすことは至上命令として遵守する必要がある。具体的には、次の要件ないし課題を充足する解決策が必要となる。
【０００６】
（１）熱移動の法則に則った熱システムで計画すること（２）利用空間を区切って熱の流入を遮断すること（３）既設の建築に適用出来ること（４）建屋構造の補強、改造を特に必要としないこと（５）施行が容易で工事期間が短いこと（６）建屋の稼動状態でも工事が実施出来ること（７）対策が美観を損なうものでないこと（８）冷暖房装置の併用については規模と運転経費の低減を図ること（９）工業化の原則に基づき標準化を図ること。
【０００７】
【課題を解決するための手段】
上記課題を解決するための本発明を実施態様を示す図面に使用した符号を付して説明すると、請求項１に記載の発明に係る対流遮断パネルの特徴は、薄いシート材を六角形断面の筒状に形成したものを多数一列に接続したシングルハニカム構造体を２セット平行に一体接着した構造であって、それ自体が伸縮可能なのダブルハニカム構造体１１からなる仕切り体７と、該仕切り体全体を下から支えて形状を保持させる撓み防止部材１３からなる支持部９とを有し、前記撓み防止材１１の端部に前記仕切り体７の両端を固定することによりパネルの単体を構成し、該パネルの単体を多数配置し、前記支持部９を取付け手段によって建物内部所定箇所に取付けて建物内部を上下に仕切ることにある。
請求項２に記載の発明に係る対流遮断パネルの特徴は、薄いシート材を六角形断面の筒状に形成したものを多数一列に接続したシングルハニカム構造体からなる仕切り体７と、該仕切り体全体を下から支えて形状を保持させる撓み防止部材１３からなる支持部９とを有し、前記撓み防止材１１の端部に前記仕切り体７の両端を固定することによりパネルの単体を構成し、該パネルの単体を多数配置し、前記支持部９を取付け手段によって建物内部所定箇所に取付けて建物内部を上下に仕切ることにある。
更に、請求項３に記載の発明の特徴は、前記請求項１又は２に記載の構成に加え、撓み防止部材は、アルミニウム製の角パイプであることにある。
【０００８】
本発明にあっては、次のような作用が奏せられる。すなわち、屋内の利用空間への熱移動と、熱移動が止まらぬ原因が空気の対流現象によるものであるが、自然規象である対流を止めることは出来ないので、建屋内部の空間をパネルによって上下に仕切り、下部の利用空間に対流による熱の出入りすることを妨げ、該空間に於ける温度の安定化を図る。上部空間は対流圏として残し、容積が減少しただけ熱の出入りや対流反応は激しくなるが、加熱して上昇した熱気は建屋項部に設けた排気口（ルーフファン）より排出される。
【０００９】
本発明によれば、屋内の下部利用空間はパネルにより熱を運ぶ対流の流入が妨げられ、温度の出入りがなくなるので温度の安定化が得られる。上部対流空間は容積が減らされただけ対流規象は加速されるので、頂部の排気口より効率よく排熱され、建屋の熱勘定の改善に寄与する。パネルは軽量で可撓性と伸縮性に富み、設置現場の形状と設置条件に自由自在に合わせられるので、短期間に簡単に施工出来る。更に、この特性は形状と寸法に自由度が有り寸法規格の大幅な減少、配置計画の簡略化、原図作業の省略が図られ、現場合わせによる施工に当たって特別な配慮と処理を必要としない。
【００１０】
空調設備との併用の場合でも、対流の遮断効果による熱勘定の改善で設備規模の縮小が図られ、運転費用も削減され、経済効果が絶大である。
【００１１】
【発明の実施の形態】
以下、本発明の一実施形態を図面を参照して説明する。本発明を工場の建屋に適用したものを一実施例として詳細に説明する。工場建屋には、作業対象物の形状、性質などや立地条件などの外的要因によって種々の形式があるが、平屋建、階数建の２つに大きく分けることができ、図示建屋１は、平屋建から成る。
【００１２】
また、屋根は、建物の形、大きさ、種類、立地場所、気候風土、屋根葺き材料等に従って多くの種類があるが、工場の屋根としては、採光と換気が重要なファクタであって、図示建屋１の屋根３は、いわゆる切妻屋根から成り、屋根３の棟には、要所要所（図では２カ所）に換気用のルーフファン装置Ｆが取付けられる。
【００１３】
図示工場建屋１（平屋建＋切妻屋根）にあっては、建屋内部側で屋根から所定間隔空けて流れ屋根部分に略平行（但、棟下のものは平行でない）に対流遮断パネル（以下、パネル）Ｐが多数配置される。パネルＰの具体的配置としては、図４に示すように、建屋内部全体を平面的に概ね覆う如く敷き詰められたように配設される。図４において、円形で囲った数字１〜７は、パネルの単体の大きさ（単位規格）が異なることを表示している。すなわち、例えば、円形で囲った数字１は２８００×２６００、円形で囲った数字２は２９００×２６００、円形で囲った数字３は２９７０×２６００、円形で囲った数字４は２８００×７００、円形で囲った数字５は２３９０×７００、円形で囲った数字６は２３７５×７００、円形で囲った数字８は２９７０×７００というように、本実施例パネルＰは、様々の寸法を有する自社規格品から構成される。
【００１４】
ここで、取付けられたパネルＰの単体（単位）を示す図５〜７を参照すると、パネルＰは、実質的に対流遮断機能を奏する仕切り体７と、これを支持する支持部９、とを含む。仕切り体７は、図示例ではダブルハニカム構造体１１から成る。ダブルハニカム構造体とは、薄いシート材を六角形断面の筒状に形成したものを多数数珠つなぎに一列に接続したようなシングルハニカム構造体（これについては、後述する）を２セット平行に一体接着したような構造から成るものである。このダブルハニカム構造体１１は、それ自体が可撓性（伸縮自在性）を有し、一方側に（蛇腹風に）折り畳んでコンパクト化できるように構成されている。
【００１５】
ダブルハニカム構造体１１の具体例（実際例）としては、米国のカムフォテックス社（ＣＯＭＦＯＲＴＥＸ  ＣＯＲＰＯＲＡＴＩＯＮ  ）から販売されている商品を挙げることができる。ダブルハニカム構造体１１の下側には、全体を下から支える１以上（図示例では、一対）の（形状保持のための）撓み防止部材１３が配置され、該構造体１１の両端は、挟み板１５を介して撓み防止部材１３端部に固定されている。（尚、撓み防止部材１３は、図示例ではアルミニウム製の角パイプとして具現化しているが、これに限られるものではなく、様々の材料で構成でき、また、様々の断面形状の材料で構成できることは言うまでもない。
【００１６】
（４カ所の）挟み板１５の各々には、上方に延びるようにネジ付きシャフト１７（Ｍ６長ネジボルト）が取付けられている。該シャフト１７の上端側には、パイラック（Ｃ状クランプ部材）１９が連結され、パイラック１９は、工場建屋の屋根の骨組み（梁）を構成するＩビーム２１に引っ掛かる（取付く）ように構成されている。
【００１７】
以上の構成を有する上記図示実施例においては、屋根内側と仕切り体７（ダブルハニカム構造体１１）との間で画成される屋根裏近傍空間において、図２に矢印で示すような空気の流れ（対流）が起きる。すなわち、この屋根裏近傍空間内で温められた空気は、直ちにルーフファン（排気口）Ｆから外部に効率良く排出される。
【００１８】
この熱の循環排出が非常に効率良く行われる効果、或いはこれに加えて屋根裏近傍空間における空気（層）の存在による断熱効果により、ダブルハニカム構造体１１（仕切り体７）で仕切られた工場の実質的内部空間に対する熱の出入が大幅に減少し、そこにおいて対流現象が起きないか、起きても非常に僅かである。これにより、工場の実質的内部空間の温度を極めて安定的に維持できる。
【００１９】
ところで、上記実施態様では、仕切り体７として、ダブルハニカム構造体１１（図８（ａ））を例にして説明したが、これに代えて上述したような（単一の）シングルハニカム構造体３１（同図（ｂ））を採用することもできる。
【００２０】
仕切り体７は、撓み防止部材１３に強度（形状保持機能）をもたせる関係上、それ相応の強度で足り、紙、布、プラスチック樹脂、薄い（非鉄）金属板など、様々の材料で構成することができる。勿論、採光の観点からは、無色又は有色で、透明ないし半透明である材料が望ましい。遮光の観点からは、光透過性を有しない部材が望ましい。
【００２１】
仕切り体７が可撓性ないし伸縮性を有する場合、次のような利点がある。すなわち、図９（左手側）に示すように、蛇腹風に全体を小さく縮めることによって運搬・収納等に至便である。また、パネル取付け工事のために現地で展開作業を行うことができ、かさ張らないので都合が良い。
【００２２】
また、屋根によっては曲線的な部分もあり、それに沿うように形状を変えることができる（形状適合性）。例えば、ドーム風に設置取付けを行う場合、図１０に示すような全体を丸く曲げた撓み防止部材１３を用いてこれを行うことができる（図９）。
【００２３】
更に、仕切り部材が重量的に非常に軽いということも見逃せない点である。また、仕切り体は、恰もカーテンを取付けるように簡易簡便にそして迅速に取付けることができる点も評価に値する。また、仕切り体がダブルハニカム構造体やシングルハニカム構造体から成る場合、それを構成する数珠繋ぎ状の多数の筒状部に、例えば、断熱材及び／又は吸音材を装填することにより、断熱上や騒音対策上非常に優れた作用・効果を得ることが可能である。
【００２４】
ところで、上述した屋根３の流れ屋根部分に略平行にパネルを配置する構成に代えて、床に略平行な天井風に多数のパネルＰ（上述した様々のものを作用可能）を、空中に敷き詰めるように配置する構造（すなわち、建屋内を対流圏と利用空間とに仕切る構造）に関して、実験を試みた（図１１）。この構造にあっても、室温を安定的に保持する点に関して、良好な結果を得ることが確認された。
【００２５】
【発明の効果】
以上説明したように本発明によれば、建物内部を効果的に仕切ることができ、外部からの熱的な影響を殆ど及ぼされることなく、内部利用空間を温度的に安定保持できる。また、その取付け工事的な面に関して、非常に容易に且つ迅速に安価に行うことができ、非常に実用的・実際的である。
【図面の簡単な説明】
【図１】本実施態様の工場建屋の内部を見えるようにした斜視図である。
【図２】本実施態様の工場建屋における空気の流れを示す側面図である。
【図３】屋根部分のみを示す側面図である。
【図４】建屋内部の平面図である。
【図５】実施例パネルの側面図である。
【図６】実施例パネルの平面図である。
【図７】実施例パネルの斜視図である。
【図８】異なるパネル構造を示す斜視図である。
【図９】パネルの縮め状態から展開する状態を説明する斜視図である。
【図１０】撓み防止部材の別の例を示す側面図である。
【図１１】天井風に設置したパネルを示す図である。
【符号の説明】
１…工場建屋
３…屋根
７…仕切り体
１１…ダブルハニカム構造体
１３…撓み防止部材
３１…シングルハニカム構造体
３３…蛇腹構造体
３５…シート
Ｆ…ルーフファン装置
Ｐ…パネル
【図１】
0003564521.tif 000002
【図２】
0003564521.tif 000003
【図３】
0003564521.tif 000004
【図４】
0003564521.tif 000005
【図５】
0003564521.tif 000006
【図６】
0003564521.tif 000007
【図７】
0003564521.tif 000008
【図８】
0003564521.tif 000009
【図９】
0003564521.tif 000010
【図１０】
0003564521.tif 000011
【図１１】
0003564521.tif 000012